(57)【特許請求の範囲】
【請求項１】
予め定めた色空間における出力装置の出力色域の前記色空間における無彩色軸上の最低明度の色から最高彩度の色までの色域外郭上の色のうち、前記最高彩度の色の明度よりも高明度の色と前記高明度の色と同明度で彩度が異なる色とが存在し、且つ、前記色空間の無彩色軸上の最低明度の色よりも低明度の色が存在する場合、前記低明度の色を前記無彩色軸上の最低明度の色よりも高明度側に補正する補正手段
を備えた色処理装置。
【請求項２】
前記補正手段は、前記無彩色軸上の最低明度の色から前記高明度の色までの色域外郭上の色の明度が徐々に高くなるように、前記低明度の色を高明度側に補正する
請求項１記載の色処理装置。
【請求項３】
前記補正手段は、前記出力装置が出力する色材の色材総量制限値が小さくなるに従って、補正前後で彩度が維持されるように、前記低明度の色を高明度側に補正する
請求項１又は請求項２記載の色処理装置。
【請求項４】
前記補正手段は、前記無彩色軸上の最低明度の色については、黒単色で再現可能な明度以下の明度となるように補正する
請求項１〜３の何れか１項に記載の色処理装置。
【請求項５】
前記補正手段は、前記無彩色軸上の最低明度の色から前記最高彩度の色の明度よりも高明度の色までの色の明度を補正する
請求項１〜４の何れか１項に記載の色処理装置。
【請求項６】
入力装置の前記色空間における入力色域の色を補正後の前記出力色域の色に色域マッピングする際に、前記最高彩度の色の色材総量が多くなるに従って彩度が維持されるようなマッピング角度で色域マッピングする色域マッピング手段
を備えた請求項１〜５の何れか１項に記載の色処理装置。
【請求項７】
前記補正手段は、前記無彩色軸上の最低明度の色と前記最高彩度の色とを結んだラインと、色域外郭と、の交点を求め、前記無彩色軸上の最低明度の色から前記交点までのラインと、前記交点から前記最高彩度の色までのラインと、を新たな色域外郭とする
請求項１〜６の何れか１項に記載の色処理装置。
【請求項８】
コンピュータを、
予め定めた色空間における出力装置の出力色域の前記色空間における無彩色軸上の最低明度の色から最高彩度の色までの色域外郭上の色のうち、前記最高彩度の色の明度よりも高明度の色が存在し、且つ、前記色空間の無彩色軸上の最低明度の色よりも低明度の色が存在する場合、前記低明度の色を前記無彩色軸上の最低明度の色よりも高明度側に補正する補正手段
として機能させるための色処理プログラム。
【発明の詳細な説明】
【技術分野】
【０００１】
本発明は色処理装置及び色処理プログラムに関する。
【背景技術】
【０００２】
特許文献１には、第１色域を第２色域に変換する色域変換処理をコンピュータに実行させるためのプログラムであって、a)前記第１色域の彩度方向におけるピークである第１ピークを検出する手順と、b)前記第２色域の彩度方向におけるピークである第２ピークを検出する手順と、c)前記第２ピークに前記第１ピークが一致するように、前記第１色域を第１収束点に向けて圧縮して変形する手順と、d)前記手順c)での変形後の色域である第３色域を、明度軸上の第２収束点であって、前記第１収束点の明度よりも大きな明度を有し且つ前記第２色域の最大明度以下の明度を有する第２収束点に向けて圧縮して変形する手順と、e)前記手順c)および前記手順d)による変形結果に基づいて、前記第１色域の色と前記第２色域の色との関係を決定する手順と、を含むプログラムが開示されている。
【０００３】
特許文献２には、入力カラー画像信号を画像出力装置に適した色信号に変換する色変換手段と、前記画像出力装置の補正されたガマットの外郭を示す外郭データを生成する画像出力装置外郭データ生成手段とを有し、前記色変換手段は、入力カラー画像信号に対し、前記画像出力装置外郭データ生成手段により生成された外郭データにより示されるガマットの外にある色を該ガマット内へ圧縮する処理を施すガマット圧縮処理手段を含み、前記画像出力装置外郭データ生成手段は、前記画像出力装置のガマットの外郭を示す外郭データを取得する第１ の手段と、前記第１ の手段により取得された外郭データに対し、シャドー色に関し、略同明度上に彩度のみが異なる複数の外郭点がある場合に、その複数の外郭点の中の最も彩度の小さい外郭点以外の外郭点を無効とする処理を施すことにより、前記画像出力装置の補正されたガマットの外郭を示す外郭データを生成する第２ の手段とを有する、ことを特徴とする色処理装置が開示されている。
【先行技術文献】
【特許文献】
【０００４】
【特許文献１】特開２００９−２１２６４２号公報
【特許文献２】特開２００７−２５８８３５号公報
【発明の概要】
【発明が解決しようとする課題】
【０００５】
本発明は、予め定めた色空間における出力装置の出力色域の最低彩度の色から最高彩度の色までの色域外郭上の色のうち、前記最高彩度の色の明度よりも高明度の色と前記高明度の色と同明度で彩度が異なる色とが存在し、且つ、前記色空間の無彩色軸上の最低明度の色よりも低明度の色が存在する場合に、当該低明度の色の明度を補正しない場合と比較して、階調段差が発生するのを抑制することができる色処理装置及び色処理プログラムを得ることが目的である。
【課題を解決するための手段】
【０００６】
請求項１記載の発明に係る色処理装置は、予め定めた色空間における出力装置の出力色域の前記色空間における無彩色軸上の最低明度の色から最高彩度の色までの色域外郭上の色のうち、前記最高彩度の色の明度よりも高明度の色と前記高明度の色と同明度で彩度が異なる色とが存在し、且つ、前記色空間の無彩色軸上の最低明度の色よりも低明度の色が存在する場合、前記低明度の色を前記無彩色軸上の最低明度の色よりも高明度側に補正する補正手段を備える。
【０００７】
請求項２記載の発明は、前記補正手段は、前記無彩色軸上の最低明度の色から前記高明度の色までの色域外郭上の色の明度が徐々に高くなるように、前記低明度の色を高明度側に補正する。
【０００８】
請求項３記載の発明は、前記補正手段は、前記出力装置が出力する色材の色材総量制限値が小さくなるに従って、補正前後で彩度が維持されるように、前記低明度の色を高明度側に補正する。
【０００９】
請求項４記載の発明は、前記補正手段は、前記無彩色軸上の最低明度の色については、黒単色で再現可能な明度以下の明度となるように補正する。
【００１０】
請求項５記載の発明は、前記補正手段は、前記無彩色軸上の最低明度の色から前記最高彩度の色の明度よりも高明度の色までの色の明度を補正する。
【００１１】
請求項６記載の発明は、入力装置の前記色空間における入力色域の色を補正後の前記出力色域の色に色域マッピングする際に、前記最高彩度の色の色材総量が多くなるに従って彩度が維持されるようなマッピング角度で色域マッピングする色域マッピング手段を備える。
【００１２】
請求項７記載の発明は、前記補正手段は、前記無彩色軸上の最低明度の色と前記最高彩度の色とを結んだラインと、色域外郭と、の交点を求め、前記無彩色軸上の最低明度の色から前記交点までのラインと、前記交点から前記最高彩度の色までのラインと、を新たな色域外郭とする。
【００１３】
請求項８記載の発明の色処理プログラムは、コンピュータを、予め定めた色空間における出力装置の出力色域の前記色空間における無彩色軸上の最低明度の色から最高彩度の色までの色域外郭上の色のうち、前記最高彩度の色の明度よりも高明度の色が存在し、且つ、前記色空間の無彩色軸上の最低明度の色よりも低明度の色が存在する場合、前記低明度の色を前記無彩色軸上の最低明度の色よりも高明度側に補正する補正手段として機能させる。
【発明の効果】
【００１４】
請求項１、８記載の発明は、予め定めた色空間における出力装置の出力色域の最低彩度の色から最高彩度の色までの色域外郭上の色のうち、前記最高彩度の色の明度よりも高明度の色と前記高明度の色と同明度で彩度が異なる色とが存在し、且つ、前記色空間の無彩色軸上の最低明度の色よりも低明度の色が存在する場合に、当該低明度の色の明度を補正しない場合と比較して、階調段差が発生するのを抑制することができる、という効果を有する。
【００１５】
請求項２記載の発明は、前記低明度の色を高明度側に補正する場合に明度が徐々に高くならないように補正する場合と比較して、階調段差が発生するのをより抑制することができる、という効果を有する。
【００１６】
請求項３記載の発明は、色材総量制限値に関係無く前記低明度の色を高明度側に補正する場合と比較して、色材総量制限値に応じて適切に色域外郭を補正することができる、という効果を有する。
【００１７】
請求項４記載の発明は、前記無彩色軸上の最低明度の色を無制限に高明度側に補正する場合と比較して、必要以上に高明度側に補正されてしまうのを防ぐことができる、という効果を有する。
【００１８】
請求項５記載の発明は、一部の色しか明度を補正しない場合と比較して、色域外郭を滑らかに補正することができる、という効果を有する。
【００１９】
請求項６記載の発明は、入力装置の前記色空間における入力色域の色を補正後の前記出力色域の色に色域マッピングする際に、前記最高彩度の色の色材総量に関係なく色域マッピングする場合と比較して、色材総量に応じて適切に色域マッピングすることができる、という効果を有する。
【００２０】
請求項７記載の発明は、前記無彩色軸上の最低明度の色から前記最高彩度の色までの全ての色を補正する場合と比較して、色域をより広く使いつつ、階調段差が発生するのを抑制することができる、という効果を有する。
【図面の簡単な説明】
【００２１】
【図１】色処理装置の機能ブロック図である。
【図２】色域変換処理について説明するためのイメージ図である。
【図３】色域変換条件生成処理を示すフローチャートである。
【図４】色域補正について説明するための図である。
【図５】色域補正について説明するための図である。
【図６】色材総量制限値と最低明度との関係を示す図である。
【図７】色域補正について説明するための図である。
【図８】色域変換処理について説明するためのイメージ図である。
【図９】彩度成分の重みと色材総量との対応関係を示す図である。
【図１０】（ａ）はマッピングアンカー明度と色材総量との対応関係を示す図、（ｂ）はアンカーポイントの変更について説明するための図である。
【図１１】色域マッピングについて説明するための図である。
【図１２】一次色及び二次色の色材総量について説明するための図である。
【図１３】マッピング角度と色材総量との対応関係を示す図である。
【図１４】コンピュータで構成した色処理装置のブロック図である。
【発明を実施するための形態】
【００２２】
図１は、本実施形態に係る色処理装置１０の機能構成を示すブロック図である。
【００２３】
色処理装置１０は、入力機器２０と出力機器３０間に設けられて入力機器２０から入力される画像データの色変換処理を行う色変換部１６、色変換部１６が画像データの色変換に際して参照する参照テーブル（色変換プロファイル）を記憶する色変換プロファイル記憶部１５、色変換プロファイル記憶部１５に記憶する色変換プロファイルを生成する色変換プロファイル生成部１１を具備して構成される。
【００２４】
この色処理装置１０は、出力機器３０である、例えば、ＣＭＹＫ各色のトナーを用いて電子写真方式でカラー画像を形成して用紙上に転写・定着させる画像形成装置（カラー複写機）に内蔵することにより実現される。
【００２５】
入力機器２０としては、例えば、ＰＣ（パーソナル・コンピュータ）等で実現される情報処理端末（クライアント）や、あるいは出力機器３０とは異なる色域を有する画像形成装置（カラー複写機）等を想定している。  
【００２６】
入力機器２０を上記クライアントとした場合は、当該クライアントにおいてディスプレイ上で色を確認しながら作成されたＲＧＢ色空間上の画像データが、また、入力機器２０を他の画像形成装置とした場合は、当該画像形成装置からＣＭＹＫ色空間上の画像データが、それぞれ、色域変換対象として色変換部１６に入力される。  
【００２７】
この色処理装置１０において、色変換プロファイル生成部１１は、入力機器２０から入力される画像データの色値（例えば、Ｒ，Ｇ，Ｂ）を、入力機器２０、及び、複数の色（この例では、ＣＭＹＫ色）要素に基づいて複数色を再現する出力機器３０に依存しないデバイス非依存色空間（例えば、Ｌ＊ａ＊ｂ空間）上の色値に変換する第一色変換条件生成部１２、第一色変換条件生成部１２で変換された入力画像データの色値を、同じ色空間（Ｌ＊ａ＊ｂ空間）上の、出力機器３０における出力色域の色値に変換する色域変換条件生成部１３、色域変換条件生成部１３による色域変換後のＬ＊ａ＊ｂ空間上の色値を出力機器３０が再現可能な例えば、ＣＭＹＫ色空間上の色値に変換する第二色変換条件生成部１４を備えている。
【００２８】
色変換プロファイルの生成処理に際し、色変換プロファイル生成部１１は、例えば、ネットワークを介して、入力機器２０の上記デバイス非依存色空間における再現色域（入力色域）外郭を算出するために必要な情報を含む入力機器特性データと、出力機器３０の上記デバイス非依存色空間における再現色域（出力色域）外郭を算出するために必要な情報を含む出力機器特性データを取得する。  
【００２９】
色変換プロファイル生成部１１において、色域変換条件生成部１３は、入力機器特性データに基づいて入力機器２０の入力色域外郭を算出するとともに、出力機器特性データに基づいて出力機器３０の出力色域外郭を算出する色域外郭算出部１３１、詳細は後述するが、出力色域の色域外郭を補正する色域補正部１３２、上記入力色域内の全画素の色値を上記出力色域の色値に変換（マッピング）する色域マッピング部１３５を具備している。
【００３０】
また、色変換プロファイル生成部１１において、第二色変換条件生成部１４は、例えば、出力機器３０において予め設定されている（あるいは、メモリ等に記憶されている）色材総量制限値から墨量を算出する墨量算出部１４１、色域変換条件生成部１３において色域マッピング部１３５により出力機器３０の出力色域にマッピングされた色値を墨量算出部１４１により算出された墨量を反映させて出力機器３０のＣＭＹＫ色空間の値に変換する色変換部１４２を具備して構成される。
【００３１】
なお、「黒」という用語は色材の黒１００パーセントの色という意味もあるが、本実施形態では、これとは異なり、後述する“出力機器３０の色域断面”において、“色域断面における出力機器３０で再現可能な最低明度となる色”という意味合いで用いられるものである。
【００３２】
図２は、色処理装置１０（図１参照）における出力機器３０の色材総量制限値をキーとする色域変換処理イメージを示す概念図である。
【００３３】
図２において、同図（ａ）は、色変換プロファイル生成部１１が色域変換処理に際して算出するＬ＊ａ＊ｂ＊空間における入力機器２０の色域外郭（入力色域）と出力機器３０の色域外郭（出力色域）それぞれの色域断面（Ｌ＊Ｃ＊面による断面）を示している。
【００３４】
図２（ａ）に示すように、入力機器２０の色空間で再現可能な入力色域Ａ１の色を出力機器３０の色空間で再現可能な出力色域Ａ２の色に変換する色域変換処理に際しては、出力機器３０の色域断面のＣｕｓｐ（頂点）から黒に向かう側の画素領域については、色域外郭の形状が、例えば、同図（ｂ）に示す出力色域Ａ２１，Ａ２２，Ａ２３，Ａ２４の如く、出力機器３０における色材総量制限値〔同図（ｃ）参照〕に応じて変動する性質がある。
【００３５】
すなわち、例えばＣＭＹＫ全ての色を１００％使用できる場合は、色材総量制限値は４００となり、このような場合は、図２（ｂ）の出力色域Ａ２１で示すように、出力色域Ａ２の外郭形状に変化はない。そして、色材総量制限値が４００から小さくなるに従って、低明度側の領域の外郭の形状が徐々に高明度側に削られていく。このため、例えば図２（ｂ）の色域Ａ２４で示すように、出力色域Ａ２４のＬ＊軸（無彩色軸）上の最低明度の色４０（最低彩度の色）からＣｕｓｐ（色域断面における最高彩度の色）までの色域外郭上の色のうち、Ｃｕｓｐの明度よりも高明度の高明度色４２と高明度４２の色と同明度で彩度が異なる色とが存在すると共に、Ｌ＊軸上の最低明度の色４０よりも低明度の色４４が存在する場合がある。
【００３６】
このように明度逆転が生じている場合、Ｌ＊軸上の最低明度の色４０からＣｕｓｐの明度よりも高明度の色４２までの色域外郭を補正せずに色域マッピングした場合、低明度領域において階調段差が生じてしまう場合がある。
【００３７】
そこで、本実施形態では、上記のような明度逆転が生じている場合、色域補正部１３２は、Ｌ＊軸上の最低明度の色４０よりも低明度の色４４が存在しないように、Ｌ＊軸上の最低明度の色４０からＣｕｓｐの明度よりも高明度の色４２までの色を高明度側に補正することにより色域外郭を補正する。
【００３８】
次に、本実施形態の作用として、色変換条件生成処理について図３に示すフローチャートを参照して説明する。
【００３９】
図３に示すように、色域変換条件生成部１３は、入力機器特性データと出力機器特性データを取り込んだうえで、入力機器特性データに基づいて入力機器２０が再現可能な画素（色値データ）を算出する（ステップＳ１００）とともに、出力機器特性データに基づいて出力機器３０が再現可能な色域外郭（出力色域）を算出する（ステップＳ１０２）。
【００４０】
次に、色域変換対象の画像データである入力色域内の全ての画素中から処理順番（例えば、画素カウンタによりカウントする）に対応する画素を１画素ずつ取り出し（ステップＳ１０４）、当該各画素を出力色域内の値に変換する色域変換処理（ステップＳ１０６〜Ｓ１１６）を実行する。
【００４１】
この色域変換（マッピング）処理においては、取り出した画素（色値データ）の明度が出力機器３０の色域断面のＣｕｓｐの明度よりも低いか否かを判定し（ステップＳ１０６）、当該画素の明度がＣｕｓｐの明度よりも低くない場合（ステップＳ１０６でＮＯ）、当該色値データを第１のマッピング方法で出力色域範囲内にマッピングする（ステップＳ１１０）。
【００４２】
これにより、ステップＳ１１６で全ての画素データのマッピングが終了していないと判定される間（ステップＳ１１６でＮＯ）、Ｃｕｓｐの明度よりも低くない領域の全ての画素に対する第１のマッピング方法によるマッピングが続行される。
【００４３】
そして、ステップＳ１０４で取り出した画素の明度が出力機器３０の色域断面のＣｕｓｐの明度よりも低いと判定された場合（ステップＳ１０６でＹＥＳ）、色域変換条件生成部１３は、出力機器３０の色域断面のＬ＊軸上の最低明度の色からＣｕｓｐ（最高彩度の色）までの色域外郭上の色のうち、Ｃｕｓｐの色の明度よりも高明度の色と前記高明度の色と同明度で彩度が異なる色とが存在するか否かを判断する（ステップＳ１０８）。
【００４４】
ここで、出力機器３０の色域断面のＬ＊軸上の最低明度の色からＣｕｓｐまでの色域外郭上の色のうち、Ｃｕｓｐの色の明度よりも高明度の色と前記高明度の色と同明度で彩度が異なる色とが存在しないと判定された場合（ステップＳ１０８でＮＯ）、ステップ１０４で取り出した画素の色値データを第１のマッピング方法で出力色域内にマッピングする処理を行う（ステップＳ１１０）。
【００４５】
これに対して、出力機器３０の色域断面のＬ＊軸上の最低明度の色からＣｕｓｐまでの色域外郭上の色のうち、Ｃｕｓｐの色の明度よりも高明度の色と前記高明度の色と同明度で彩度が異なる色とが存在すると判定された場合（ステップＳ１０８でＹＥＳ）、色域補正部１３２は、出力機器３０の色域断面のＬ＊軸上の最低明度の色よりも低明度の色が存在する場合は、Ｌ＊軸上の最低明度の色から、Ｃｕｓｐの色の明度よりも高明度の色までの色を高明度側に補正し、色域外郭を補正する（ステップＳ１１２）。
【００４６】
例えば、図４に示すように、Ｌ＊軸上の最低明度の色４０と、Ｃｕｓｐの色の明度よりも高明度の色のうち最高明度の色４２とを直線で結んだ補正ライン５０と、最高明度の色４２とＣｕｓｐを結んだライン５２と、を新たな色域外郭とする。これにより、Ｌ＊軸上の最低明度の色４０から最高明度の色４２の色まで明度が徐々に高くなるため、Ｌ＊軸上の最低明度の色４０よりも低明度の色は存在しない。
【００４７】
なお、Ｌ＊軸上の最低明度の色４０と高明度の色４２とを直線で結ぶのではなく、これらの２点とＣｕｓｐとの３点間をスプライン補間することにより、曲線で結ぶようにしてもよい。
【００４８】
また、図４では、Ｌ＊軸上の最低明度の色４０は補正していないが、図５に示すように、色材総量制限値に応じて、Ｌ＊軸上の最低明度の色４０を高明度側に補正した色４０Ａとしてもよい。例えば図６に示すように、色材総量制限値が閾値Ｔｈ１（例えば３００％）以上の場合は、Ｌ＊軸上の最低明度の色４０の明度は、ほとんど出力装置の色域の最低明度と一致することから、補正せずそのままとする。
【００４９】
そして、色材総量制限値が閾値Ｔｈ２（例えば２００％）より大きく且つ閾値Ｔｈ１未満の場合は、色材総量制限値が小さくなるに従って、Ｌ＊軸上の最低明度の色４０の明度が徐々に高くなるように補正する。また、色材総量制限値が閾値Ｔｈ２以下の場合は、Ｌ＊軸上の最低明度の色４０の明度を黒（Ｋ）単色の最低明度（Ｋ＝１００％）に補正する。このように、黒（Ｋ）単色の最低明度を上限として、Ｌ＊軸上の最低明度の色４０の明度を補正する。
【００５０】
また、図７に示すように、Ｌ＊軸上の最低明度の色４０とＣｕｓｐとを結んだラインと、色域外郭Ａ２と、の交点５４を求め、Ｌ＊軸上の最低明度の色４０から交点５４までのライン５６と、交点５４からＣｕｓｐまでのライン５８と、を新たな色域外郭としてもよい。
【００５１】
また、この場合においても、図６に示す色材総量制限値とＬ＊との関係に従い、色材総量制限値に応じてＬ＊軸上の最低明度の色４０を高明度側に補正するようにしてもよい。
【００５２】
このように色域を補正した後は、ステップ１０４で取り出した画素の色値データを第１のマッピング方法と異なる第２のマッピング方法によりマッピング処理を実施する（ステップＳ１１３）。
【００５３】
そして、全ての画素データのマッピングが終了したと判定される（ステップＳ１１４でＹＥＳ）ことにより、上記一連のマッピング処理が終了する。
【００５４】
なお、ステップＳ１１３において、第１のマッピング方法から第２のマッピング方法に変更するには、色差式を変える方法や、色差式における該当色成分の重み係数を修正する方法等がある。
【００５５】
図８は、本実施形態の色変換処理（図３参照）に係る色変換方法変更パターンを示す概念図（色域断面）であり、特に、パターン１，２，３として色差式をＡ，Ｂ，Ｃに変更する方法を例示している。
【００５６】
図８に示すように、本実施形態では、入力色域外郭がＡ１であるとき、ステップＳ１１０における、出力色域断面の頂点の明度より高明度側の色値データのマッピング処理については、色材の総量制限値に拘らず、既知の方法（例えば、色差式Ａ）でマッピングする。
【００５７】
また、上記頂点の明度より明度が低い色値データであっても、出力機器３０の色材総量制限値が大きい場合〔例えば、図２（ｄ）の最大閾値Ｔｈ１以上の“３００”の場合〕には、ステップＳ１１０において、この色差式Ａを用いて変換前と変換後の色差が最小となるようにマッピング処理を行なう。
【００５８】
なお、色差が最小となるマッピング処理については、以下に図９を参照して詳述する。
【００５９】
これに対して、出力機器３０の色材総量制限値が“３００”より少ない場合〔例えば、図２（ｄ）の最大閾値Ｔｈ１より小さい、“２５０”の場合〕は、ステップＳ１１３において、色域マッピング部１３５は、上記色差式Ａから、例えば、色差式Ｂに修正したうえで、色差式Ｂを用いて色差が最小となるようにマッピング処理を行なう。
【００６０】
ここで、色差式Ｂは、色差式Ａよりも彩度維持の色再現を可能にするものである。
【００６１】
また、出力機器３０の色材総量制限値が“２５０”より更に少ない場合〔例えば、図２（ｄ）の閾値Ｔｈ２以下の“２００”の場合〕は、ステップＳ１１３において、上記色差式Ａから、例えば、色差式Ｃに修正したうえで、当該色差式Ｃを用いて色差が最小となるようにマッピング処理を行なう。
【００６２】
ここで、色差式Ｃは、色差式Ｂよりも彩度維持の色再現を可能にするものである。
【００６３】
このように、本実施形態では、出力機器３０の色材総量制限値（色材総量）に応じて、色材総量が小さくなるほど彩度維持となるように、入力機器２０の色域断面の頂点よりも低明度領域の色変換方法を変更制御する。
【００６４】
なお、図８においては、色材総量制限値（色材総量）が少なくなるほどに彩度維持となる特性を維持すべく色差式を変更（選択）する例を挙げているが、同一の色差式の該当色成分の重み係数を修正して彩度維持の度合いを変更する方法も考えられる。
【００６５】
一例として、色差式〔ＣＩＥ１９７６〕を用いた場合の彩度維持制御について説明する。
【００６６】
本実施形態では、上記ステップＳ１１０、Ｓ１１３等において色差最小となるマッピング点を探す時に、当該色差式を用いる。
【００６７】
色差式〔ＣＩＥ１９７６〕においては、色差〔ΔＥ〕が、
ΔＥ＝｛（（Ｌ＊ｏｕｔ−Ｌ＊ｉｎ）×ＷＬ）＾２＋（（ａ＊ｏｕｔ−ａ＊ｉｎ）×Ｗａ）＾２＋（（ｂ＊ｏｕｔ−ｂ＊ｉｎ）×Ｗｂ）＾２｝１／２  ……（１）
で与えられる。
【００６８】
ここで、ＷＬは、Ｌ＊成分の重み値（重み係数）を示し、Ｗａ、Ｗｂは、それぞれ、ａ＊成分、ｂ＊成分の重み値を示している。
【００６９】
本実施形態では、色材の総量制限値をキーとしたマッピング方法の変更制御において、ＷＬ＊と色材総量の関係が例えば図９に示す特性となるように当該色差式の重み値を変更する。
【００７０】
つまり、本実施例では、図９に示すように、色材総量が減るほどＷＬ＊の重み値を小さくするように制御する。ＷＬ＊が小さくなるほど、彩度重視の色差式となり、結果的に彩度重視の圧縮が実現できる。
【００７１】
また、本実施形態においては、色差式（図８のパターン１，２，３参照）を変更したり、色差式における重み値を変更する方法（図９参照）の他、マッピングアンカー（ＭａｐｐｉｎｇＡｎｃｈｏｒ）のアンカーポイント（Ａｎｃｈｏｒ  Ｐｏｉｎｔ：ＡＰ：探索中心点）の変更により明度逆転や彩度逆転等に対処する方法が考えられる。
【００７２】
本実施形態のマッピング処理に係るＡＰの選択例について図１０を参照して説明する。
【００７３】
本実施形態のマッピング処理に係るマッピングアンカーの明度と色材総量の関係（Ｌ＊Ｃ＊色空間の色域断面上における特性）を図１０（ａ）に示している。
【００７４】
すなわち、本実施例では、図１０（ａ）に示す特性図に従い、色材総量が小さくなりほどマッピングアンカーの明度が大きくなるように制御する。
【００７５】
図１０（ｂ）は色域断面（Ｌ＊Ｃ＊空間）上におけるマッピングアンカーの明度の遷移状態を示す図である。
【００７６】
図１０（ｂ）によれば、色域断面上、マッピングアンカーの明度が大きくなるほど（明度がＡＰ１からＡＰ２に遷移するほど）、彩度維持のマッピングとなることが分かる。
【００７７】
よって、本実施形態において、色材総量が減るほどマッピングアンカーの明度が大きくなるようにする制御は、色材総量が減るほど彩度維持となるようなマッピングを可能にする。
【００７８】
なお、入力色域の色を、補正した出力色域内の色に直接色域マッピングするのではなく、段階的に色域マッピングするようにしてもよい。例えば図１１に示すように、入力色域の色６０を、色材総量制限値が４００％（すなわちＣＭＹＫ全ての色材を各々１００％使用可能）の場合の色域Ａ２１の色６２に例えば第１の色域マッピング方法により色域マッピングしてから、補正後の出力色域内の例えば色６４に色域マッピングするようにしてもよい。
【００７９】
また、Ｃｕｓｐの色材総量に応じて色域マッピング方法を変更するようにしてもよい。例えば図１２に示すように、一次色のＣｕｓｐ、すなわちＹ、Ｍ、Ｃの色材総量の最大値は各々１００％であり、二次色のＣｕｓｐ、すなわちＲ，Ｇ，Ｂの色材総量の最大値は各々２００％である。
【００８０】
そして、図１３に示すように、Ｃｕｓｐの色材総量が２００％以上の場合は、色域マッピングのマッピング角度（Ｃ＊軸とマッピング方向とが成す角度）が一例として９０度、すなわち彩度維持となるように色域マッピングする。一方、Ｃｕｓｐの色材総量が１００％以下の場合は、色域マッピングのマッピング角度が一例として３０度、すなわち明度維持となるように色域マッピングする。さらに、Ｃｕｓｐの色材総量が１００％以上で且つ２００％未満の場合は、色材総量が増加するに従って、マッピング角度が３０度〜９０度の範囲で徐々に大きくなるように色域マッピングする。すなわち、色材総量が多くなるに従って明度維持から彩度維持となるように色域マッピングする。
【００８１】
これにより、図１３に示すように段階的に色域マッピングする場合、例えばＣｕｓｐの色材総量が２００％の場合（Ｒ，Ｇ，Ｂの場合）、色材総量が４００％の色域Ａ２１の色６２に一旦マッピングされた後、Ｃ＊軸に対して９０度の角度で補正後の出力色域内の色６６に色域マッピングされる。一方、Ｃｕｓｐの色材総量が１００％の場合（Ｙ，Ｍ，Ｃの場合）、色材総量が４００％の色域Ａ２１の色６２に一旦マッピングされた後、Ｃ＊軸に対して３０度の角度で補正後の出力色域内の色６４に色域マッピングされる。
【００８２】
また、本実施形態では、ステップＳ１１４で第１のマッピング方法から第２のマッピング方法に変更して色域マッピングする場合について説明したが、ステップＳ１１４を省略し、ステップＳ１１２で色域を補正した場合でも、第１のマッピング方法で色域マッピングするようにしてもよい。
【００８３】
また、本実施形態では、電子写真方式のプリンタに対して本発明を適用した場合について説明したが、インクジェットプリンタに対して本発明を適用してもよい。そして、例えば、大滴、中滴、小滴のように複数種類のインク滴を吐出できるインクジェットプリンタの場合においてＬ＊軸上の最低明度の色４０を補正する場合、色材総量制限値をインク滴の種類に合わせて大、中、小の３つの領域に分け、色材総量制限値が小の範囲の場合は、小滴のインク滴のＫ単色１００％の明度を上限とし、色材総量制限値が中の範囲の場合は、中滴のインク滴のＫ単色１００％の明度を上限とし、色材総量制限値が大の範囲の場合は、大滴のインク滴のＫ単色１００％の明度を上限として、Ｌ＊軸上の最低明度の色４０の明度を補正するようにしてもよい。
【００８４】
なお、色処理装置１０は、図１４に示すようなコンピュータ７０を含む構成として実現される。図１４に示すコンピュータ７０は、ＣＰＵ（Ｃｅｎｔｒａｌ  Ｐｒｏｃｅｓｓｉｎｇ  Ｕｎｉｔ）７０Ａ、ＲＯＭ（Ｒｅａｄ  Ｏｎｌｙ  Ｍｅｍｏｒｙ）７０Ｂ、ＲＡＭ（Ｒａｎｄｏｍ  Ａｃｃｅｓｓ  Ｍｅｍｏｒｙ）７０Ｃ、不揮発性メモリ７０Ｄ、及び入出力インターフェース（Ｉ／Ｏ）７０Ｅがバス７０Ｆを介して各々接続された構成となっている。この場合、図３に示した色域変換条件生成処理をコンピュータ７０に実行させるプログラムを、例えば不揮発性メモリ７０Ｄに書き込んでＣＰＵ７０Ａに実行させることにより、コンピュータ７０が色処理装置１０として機能する。また、プログラムは、ＣＤ−ＲＯＭやＤＶＤ−ＲＯＭ等の記録媒体により提供するようにしてもよい。
【符号の説明】
【００８５】
１０   色処理装置
１１   色変換プロファイル生成部
１２   第一色変換条件生成部
１３   色域変換条件生成部
１４   第二色変換条件生成部
１５   色変換プロファイル記憶部
１６   色変換部
２０   入力機器
３０   出力機器
７０   コンピュータ
１３１ 色域外郭算出部
１３２ 色域補正部
１３５ 色域マッピング部
１４１ 墨量算出部
１４２ 色変換部
【図１】
0005880253.tif 000002
【図２】
0005880253.tif 000003
【図３】
0005880253.tif 000004
【図４】
0005880253.tif 000005
【図５】
0005880253.tif 000006
【図６】
0005880253.tif 000007
【図７】
0005880253.tif 000008
【図８】
0005880253.tif 000009
【図９】
0005880253.tif 000010
【図１０】
0005880253.tif 000011
【図１１】
0005880253.tif 000012
【図１２】
0005880253.tif 000013
【図１３】
0005880253.tif 000014
【図１４】
0005880253.tif 000015